(57)【要約】【課題】  カートリッジのシャッタを自動的に開閉動作できると共に奥行き寸法の小型化に好適な「ディスク装置」を提供すること。【解決手段】  トレイ１０を移動可能に支持するトレイガイド９と、このトレイガイド９を本体装置３に対して前後方向へ移動させる第１の駆動手段と、トレイガイド９の移動に伴ってトレイ１０をトレイガイド９に対して相対的に移動させる第２の駆動手段と、カートリッジ１１のシャッタ板を開閉動作するシャッタ開閉部材１８とを備え、このシャッタ開閉部材１８をトレイガイド９にスライド可能に支持すると共に、本体装置３の構成部材であるトップシャーシ２の側面に規定孔２ａを形成し、この規定孔２ａ内にシャッタ開閉部材１８の側面に形成した突起１８ａ，１８ｂを移動可能に挿入することにより、トレイ１０に載置されたカートリッジ１１とシャッタ開閉部材１８との相対的な移動量を規定するようにした。【選択図】  図６
2006302469.tif 000002
【特許請求の範囲】
【請求項１】
カートリッジを載置したトレイが本体装置に対して出入可能であり、前記カートリッジがディスク状記録媒体を収納するケースと該ケースに形成された開口を開閉可能なシャッタとを有し、前記トレイの引き出し位置で前記シャッタが閉じられると共に、前記トレイの引き込み位置で前記シャッタが開放されるようになっているディスク装置において、
前記トレイを移動可能に支持するトレイガイドと、このトレイガイドを前記本体装置に対して前後方向へ移動させる第１の駆動手段と、前記トレイガイドの移動に伴って前記トレイを該トレイガイドに対して相対的に移動させる第２の駆動手段と、前記シャッタを開閉するシャッタ開閉部材とを備え、前記シャッタ開閉部材を前記トレイガイドにスライド可能に支持すると共に、前記本体装置に前記トレイに載置された前記カートリッジと前記シャッタ開閉部材との相対的な移動量を規定する規定部を設けたことを特徴とするディスク装置。
【請求項２】
請求項２の記載において、前記規定部が前記本体装置の側面に形成された前後方向へ延びる切り欠きであると共に、前記トレイガイドの側面に前記切り欠きと重なるガイド孔が形成されており、前記シャッタ開閉部材に設けた突部が前記ガイド孔を挿通して前記切り欠き内に達していることを特徴とするディスク装置。
【発明の詳細な説明】
【技術分野】
【０００１】
本発明は、ディスク状記録媒体をケース内に収納したカートリッジをトレイによって記録再生位置へ搬送するディスク装置に係り、特に、カートリッジのケースに形成された開口を塞ぐシャッタの開閉機構に関するものである。
【背景技術】
【０００２】
ディスク装置に装填されるディスク状記録媒体が大容量ＤＶＤのように高密度記録を行う光ディスクである場合、光ディスクが塵埃等によって汚損されるのを防止するために、光ディスクをケース内に収納したカートリッジが使用されるようになっている。通常、カートリッジのケースには開口が形成されると共に、この開口を開閉可能なシャッタが付設されており、不使用時は開口をシャッタで閉じて内部の光ディスクを塵埃等から保護し、使用時はシャッタを開放して開口から光ディスクを露出させることにより、開口を介して内部の光ディスクに情報を記録および／または再生するようになっている。
【０００３】
従来より、かかるカートリッジをトレイによって記録再生位置へ引き込み可能となし、トレイの引き込み動作中に本体装置側に配設されたシャッタ開閉機構を相対的に移動させることにより、カートリッジのシャッタを開放して開口から光ディスクを露出させるようにしたディスク装置が知られている（例えば、特許文献１参照）。このトレイの後端部にはモータを含む駆動機構が搭載されており、トレイは駆動機構によって引き出し位置と引き込み位置との間を往復移動するようになっている。本体装置の内部にはトレイの移動に伴って相対的に前後進するスライダが配設されており、このスライダに取り付けられたシャッタ開閉機構には開閉ベースやラックが設けられている。また、トレイにはカムと突当てが設けられており、カムはシャッタ開閉機構をカートリッジから離間させるように作用し、それとは逆に突当てはシャッタ開閉機構をカートリッジに近接させるように作用している。
【０００４】
このように概略構成されたディスク装置では、引き出し位置にあるトレイにカートリッジを搭載してトレイを本体装置の内部に引き込むと、スライダに取り付けられたシャッタ開閉機構がトレイに対して相対的に前進するため、シャッタ開閉機構のラックがトレイに搭載されたカートリッジの外側を摺動する。その際、トレイに設けられた突当てがシャッタ開閉機構の開閉ベースを背面側から押圧し、ラックがカートリッジに収納された内側シェルに噛合してこれを回動するため、内側シェルの回動に伴ってシャッタが開口を開放動作する。そして、シャッタの開放動作後にトレイがさらに本体装置内に引き込まれると、トレイに設けられたカムによってシャッタ開閉機構がカートリッジから離間され、カートリッジはこの状態のままトレイと共に記録再生位置まで移動し、この記録再生位置で開口から露出する光ディスクに光ピックアップによって情報が記録および／または再生される。
【特許文献１】特開２００３−１０９２８２号公報（第７−９頁、図３６）
【発明の開示】
【発明が解決しようとする課題】
【０００５】
前述した従来のディスク装置では、本体装置内に配設されたシャッタ開閉機構がトレイに対して相対的に移動するため、トレイの引き込み動作時にカートリッジのシャッタを自動的に開放することができ、また、トレイを移動する駆動機構がトレイの後端部に搭載されており、この駆動機構を含むトレイの後端部が引き出し位置で本体装置の内部に支持されているため、引き出し位置で本体装置の前面から突出するトレイを安定的に支持することができる。
【０００６】
しかし、このようなトレイ方式によって外形寸法の大きなカートリッジを搬送する場合、トレイを引き出し位置で少なくともカートリッジの外形よりも大きく突出させる必要があるため、それに伴ってトレイの移動量（開閉ストローク）が必然的に大きくなる。したがって、前述した従来技術においては、カートリッジの使用によってトレイの開閉ストロークが長くなった分、トレイの奥行き寸法を長くしてトレイを安定的に支持するようにしているが、奥行き寸法の長いトレイを引き込み位置で本体装置の内部に収納しなければならないため、ディスク装置の奥行き寸法が大型化してしまうという問題があった。
【０００７】
本発明は、このような従来技術の実情に鑑みてなされたもので、その目的は、カートリッジのシャッタを自動的に開閉動作できると共に奥行き寸法の小型化に好適なディスク装置を提供することにある。
【課題を解決するための手段】
【０００８】
本発明は、トレイをトレイガイドによって移動可能に支持するという２重スライド機構を採用し、このトレイガイドにシャッタ開閉部材をスライド可能に支持すると共に、本体装置にトレイ上のカートリッジとシャッタ開閉部材との相対的な移動量を規定する規定部を設けることとした。
【発明の効果】
【０００９】
本発明のディスク装置は、トレイをトレイガイドによって移動可能に支持するという２重スライド機構を採用したので、トレイを安定的に支持しつつ装置全体の奥行き寸法を小型化することができ、しかも、このトレイガイドにシャッタ開閉部材をスライド可能に支持し、本体装置にトレイ上のカートリッジとシャッタ開閉部材との相対的な移動量を規定する規定部を設けたので、シャッタ開閉部材の少ない移動量でカートリッジのシャッタを確実に開閉動作することができ、奥行き寸法の小型化を図りつつシャッタの開閉機構の構造を簡略化することができる。
【発明を実施するための最良の形態】
【００１０】
本発明は、カートリッジを載置したトレイが本体装置に対して出入可能であり、前記カートリッジがディスク状記録媒体を収納するケースと該ケースに形成された開口を開閉可能なシャッタとを有し、前記トレイの引き出し位置で前記シャッタが閉じられると共に、前記トレイの引き込み位置で前記シャッタが開放されるようになっているディスク装置において、前記トレイを移動可能に支持するトレイガイドと、このトレイガイドを前記本体装置に対して前後方向へ移動させる第１の駆動手段と、前記トレイガイドの移動に伴って前記トレイを該トレイガイドに対して相対的に移動させる第２の駆動手段と、前記シャッタを開閉するシャッタ開閉部材とを備え、前記シャッタ開閉部材を前記トレイガイドにスライド可能に支持すると共に、前記本体装置に前記トレイに載置された前記カートリッジと前記シャッタ開閉部材との相対的な移動量を規定する規定部を設けた。
【００１１】
このように構成されたディスク装置では、トレイをトレイガイドによって移動可能に支持するという２重スライド機構を採用したので、トレイを安定的に支持しつつ装置全体の奥行き寸法を小型化することができ、また、このトレイガイドにシャッタ開閉部材をスライド可能に支持すると共に、本体装置にトレイ上のカートリッジとシャッタ開閉部材との相対的な移動量を規定する規定部を設けたので、シャッタ開閉部材の少ない移動量でカートリッジのシャッタを確実に開閉動作することができ、奥行き寸法の小型化を図りつつシャッタの開閉機構の構造を簡略化することができる。
【００１２】
上記の構成において、前記規定部は前記カートリッジと前記シャッタ開閉部材との相対的な移動量を規定するものであればその形状等は限定されないが、前記規定部が前記本体装置の側面に形成された前後方向へ延びる切り欠きであると共に、前記トレイガイドの側面に前記切り欠きと重なるガイド孔が形成されており、前記シャッタ開閉部材に設けた突部が前記ガイド孔を挿通して前記切り欠き内に達していることが好ましい。
【実施例】
【００１３】
実施例について図面を参照して説明すると、図１は実施例に係る車載用ディスク装置のトレイ引き出し状態を示す平面図、図２は該車載用ディスク装置のカートリッジ載置状態を示す斜視図、図３は該車載用ディスク装置に備えられる２重スライド機構のトレイ引き出し状態を示す裏面図、図４は該２重スライド機構のトレイ引き込み状態を示す裏面図、図５は該車載用ディスク装置のトレイ引き出し状態を示す斜視図、図６は該車載用ディスク装置のトレイ引き込み途中状態を示す斜視図、図７は該車載用ディスク装置のトレイ引き込み完了状態を示す斜視図、図８は該車載用ディスク装置に使用されるカートリッジの分解斜視図である。
【００１４】
本実施例に係る車載用ディスク装置は金属板製のボトムシャーシ１とトップシャーシ２を備えており、これらボトムシャーシ１とトップシャーシ２はねじ止め等により一体化されて本体装置３を形成している。ボトムシャーシ１の後端側にはピックアップシャーシ４が配設されており（図５参照）、このピックアップシャーシ４にはターンテーブル５や光ピックアップ６等が搭載されている。また、トップシャーシ２の後端側にはクランプアーム７が支持されており、このクランプアーム７の前端部にはターンテーブル５に対向するクランパ８が回転可能に支持されている（図１参照）。
【００１５】
本体装置３の内部には金属板製のトレイガイド９が配置されており、このトレイガイド９の上面に突設された一対の９ｂ，９ｂがトップシャーシ２に形成された長孔２ｂ，２ｂ内に摺動自在に挿入されるなどして、トレイガイド９は本体装置３の前後方向（矢印Ｘ１−Ｘ２方向）へ移動自在に支持されている。トレイガイド９には合成樹脂製のトレイ１０が矢印Ｘ１−Ｘ２方向へ移動可能に支持されており、これらトレイガイド９とトレイ１０は後述する２重スライド機構によって本体装置３に支持されている。このトレイ１０には中央から後端面にかけて切り欠き部１０ａが形成されると共に、切り欠き部１０ａを横切るように３つの載置面１０ｂ，１０ｃ，１０ｄが形成されている。これら載置面１０ｂ，１０ｃ，１０ｄは外側から内側に向かって順次低くなる段付形状となっており、各載置面１０ｂ，１０ｃ，１０ｄに対応する３種類のディスク状記録媒体がトレイ１０に搭載されるようになっている。すなわち、最も内側の載置面１０ｂに直径８ｃｍｍの小径ディスクが搭載され、その外側の載置面１０ｃに直径１２ｃｍｍの大径ディスクが搭載され、最も外側の載置面１０ｄにはカートリッジ１１が搭載されるようになっている。
【００１６】
前述した２重スライド機構について説明すると、図３と図４に示すように、ボトムシャーシ１の前端側にはローディングモータ１２と減速ギア列１３が配設されており、このローディングモータ１２の回転軸に取り付けられたギア１２ａは減速ギア列１３の最初段のギア１３ａに噛合し、減速ギア列１３の最終段のギア１３ｂはトレイガイド９に固定された第１のラック１４に噛合している。これによりトレイガイド９はローディングモータ１２を駆動源として本体装置３の前後方向へ移動し、これらローディングモータ１２と減速ギア列１３および第１のラック１４によって第１の駆動手段が構成されている。また、トレイガイド９には伝達ギア列１５が配設されており、伝達ギア列１５の奥側のギア１５ａはボトムシャーシ１の内側面に固定された第２のラック１６に噛合し、伝達ギア列１５の手前側のギア１５ｂはトレイ１０の底面に固定された第３のラック１７に噛合している。これら伝達ギア列１５と第２および第３のラック１６，１７は第２の駆動手段を構成するものであり、前述した第１の駆動手段によってトレイガイド９が矢印Ｘ１−Ｘ２方向へ移動すると、その移動力が第２の駆動手段を介してトレイ１０に伝達される。
【００１７】
すなわち、図３に示すようにトレイ１０が引き出し位置にあるとき、減速ギア列１３の最終段のギア１３ｂは第１のラック１４の後端側に噛合しており、また、伝達ギア列１５の奥側のギア１５ａは第２のラック１６の前端側に噛合すると共に、伝達ギア列１５の手前側のギア１５ｂは第３のラック１７の後端側に噛合している。この状態でローディングモータ１２が同図の時計回り方向へ回転駆動すると、その回転が減速ギア列１３で減速されて最終段のギア１３ｂに伝達されるため、このギア１３ｂに噛合する第１のラック１４と共にトレイガイド９全体が矢印Ｘ２方向へ移動し始める。これに伴って伝達ギア列１５の奥側のギア１５ａがボトムシャーシ１に固定された第２のラック１６に噛合しながら回転し、その回転が伝達ギア列１５の手前側のギア１５ｂに伝達されるため、このギア１５ｂに噛合する第３のラック１７と共にトレイ１０全体が矢印Ｘ２方向へ移動する。このようにトレイガイド９の移動に伴ってトレイ１０がトレイガイド９に対して相対的に移動し、最終的には、図４に示すようにトレイ１０が引き込み位置まで移動する。この間、伝達ギア列１５の奥側のギア１５ａと手前側のギア１５ｂは等速で回転するため、トレイ１０はトレイガイド９がＸ２方向へ移動した分だけ同方向へ移動することになり、結果的にトレイ１０はトレイガイド９の２倍移動する。なお、トレイ１０を引き込み位置から引き出し位置へ移動する場合は上記と逆の動作が行われ、この場合もトレイ１０はトレイガイド９の２倍移動することになる。
【００１８】
図２に示すように、トップシャーシ２の一側面には矢印Ｘ１−Ｘ２方向へ延びる規定孔２ａが形成されており、この規定孔２ａと対向するトレイガイド９の一側面には同じく矢印Ｘ１−Ｘ２方向へ延びるガイド孔９ａが形成されている。トレイガイド９の一側面の内側には合成樹脂製のシャッタ開閉部材１８が配置されており、このシャッタ開閉部材１８の外側面には一対の突起１８ａ，１８ｂが形成されている。これら突起１８ａ，１８ｂはガイド孔９ａを挿通して規定孔２ａに達しており、両突起１８ａ，１８ｂはガイド孔９ａと規定孔２ａ内を移動可能である。図５〜図７に示すように、シャッタ開閉部材１８には中央のラック部１８ｃを挟んだ両端部に係合突起１８ｄ，１８ｅが形成されており、前端側の係合突起１８ｄは二股状に形成されて弾性変形しやすくなっている。後述するように、トレイ１０にカートリッジ１１を載置して記録再生位置まで搬送するとき、シャッタ開閉部材１８はトレイ１０の引き込み動作に伴ってカートリッジ１１のシャッタ板を自動的に開放するようになっている。
【００１９】
このカートリッジ１１の構成について説明すると、図８に示すように、カートリッジ１１は互いに接合・一体化された上ケースＣ１と下ケースＣ２を備えており、これら上ケースＣ１と下ケースＣ２の内部に直径１２ｃｍｍの光ディスク２０と一対のシャッタ板２１と回転リング２２およびロックレバー２３が収納されている。下ケースＣ２には光ディスク２０の一部を露出可能な開口１９ａが形成されており、この開口１９ａは一対のシャッタ板２１によって開閉されるようになっている。これらシャッタ板２１には軸孔２１ａとカム孔２１ｂが形成されており、各軸孔２１ａは下ケースＣ２の内底面に設けられたピン１９ｂに挿入されている。回転リング２２の内周面にはシャッタ板２１のカム孔２１ｂに係合する一対のピン２２ａが設けられており、回転リング２２の回転に伴ってピン２２ａがカム孔２１ｂ内を移動することにより、両シャッタ板２１が軸孔２１ａを中心として互いに接離する方向へ回転する。また、回転リング２２の外周面には円周方向に沿って歯部２２ｂが形成されると共に、この歯部２２ｂを挟んだ位置にロック溝２２ｃと係合溝２２ｄが形成されている。ロックレバー２３は下ケースＣ２の後端側の隅部に回転可能に支持されており、その両端に係合突部２３ａと駆動部２３ｂが形成されている。ロックレバー２３は図示せぬばねによって一方向へ回転付勢されており、この付勢力によって係合突部２３ａがロック溝２２ｃに係止されることにより、回転リング２２の回転動作がロックされるようになっている。なお、下ケースＣ２の一側面には内部に連通する凹部１９ｃが形成されており、この凹部１９ｃ内に回転リング２２の係合溝２２ｄやロックレバー２３の駆動部２３ｂが臨出している。
【００２０】
次に、このように構成された車載用ディスク装置において、カートリッジ１１をトレイ１０によって搬送する際のシャッタ開閉動作について主に図５〜図７を参照しつつ説明する。なお、これら図５〜図７ではトレイガイド９の一部やトップシャーシ２を図示省略してあり、また、カートリッジ１１は上ケースＣ１を取り除いて示してある。
【００２１】
まず、図示せぬイジェクト釦を操作すると、図１に示すようにトレイ１０が本体装置３の前方の引き出し位置まで突出するため、図５に示すように、引き出し位置にあるトレイ１０の載置面１０ｄにカートリッジ１１を載置することができる。この場合、カートリッジ１１の内部でロックレバー２３の係合突部２３ａがロック溝２２ｃに係止されているため、回転リング２２の回転動作はロックされており、下ケースＣ２に形成された開口１９ａは両シャッタ板２１によって閉じられている。また、このようにトレイ１０が引き出し位置にあるとき、トレイガイド９は本体装置３に対して最も前方位置まで移動しているため（図２と図３参照）、シャッタ開閉部材１８の奥側の突起１８ｂがガイド孔９ａの後端面に押圧されることにより、手前側の突起１８ａがトップシャーシ２に形成された規定孔２ａの前端面に当接する。したがって、トレイ１０の引き出し位置で両突起１８ａ，１８ｂが規定孔２ａの前端面とガイド孔９ａの後端面とに挟まれた状態となるため、シャッタ開閉部材１８はトップシャーシ２とトレイガイド９に対して動くことはない。また、トレイ１０が引き出し位置にあるとき、このトレイ１０の後端側は前後方向に所定の長さで延びるトレイガイド９に支持されているため、トレイ１０が本体装置３から全体的に突出しても、トレイガイド９を介してトレイ１０は本体装置３に安定して支持された状態となっている。
【００２２】
この状態で２重スライド機構の駆動源であるローディングモータ１２が回転駆動されると、前述したように、第１の駆動手段の減速ギア列１３と第１のラック１４によってトレイガイド９が本体装置３の後方（矢印Ｘ２方向）へ移動し始め、それに伴って第２の駆動手段の伝達ギア列１５と第２および第３のラック１６，１７によりトレイ１０も矢印Ｘ２方向へ移動し始める。この間、本体装置３に対してトレイ１０はトレイガイド９の２倍の距離で矢印Ｘ２方向へ移動し、かかるトレイガイド９とトレイ１０の移動量の差がシャッタ開閉部材１８とカートリッジ１１の動きの差となるため、シャッタ開閉部材１８の前端側の係合突起１８ｄがカートリッジ１１の後端隅部から凹部１９ｃ内へ入り込み、係合突起１８ｄが凹部１９ｃ内に臨出するロックレバー２３の駆動部２３ｂに当接すると、トレイガイド９に支持されたシャッタ開閉部材１８がカートリッジ１１に押されるため、シャッタ開閉部材１８の両突起１８ａ，１８ｂが規定孔２ａ内を矢印Ｘ２方向へ移動する。
【００２３】
そして、図６に示すように、奥側の突起１８ｂが規定孔２ａの後端面に当接すると、シャッタ開閉部材１８はそれ以上矢印Ｘ２方向へ動かなくなるため、この時点からトレイガイド９とトレイ１０およびカートリッジ１１のみが矢印Ｘ２方向へ移動し、トレイ１０が図７に示す引き込み位置まで搬送される間に、シャッタ開閉部材１８がカートリッジ１１の凹部１９ｃ内へ徐々に入り込んでいく。これにより、まずシャッタ開閉部材１８の係合突起１８ｄがロックレバー２３の駆動部２３ｂを押圧し、係合突部２３ａがロック溝２２ｃから外れて回転リング２２のロック状態が解除され、次いで係合突起１８ｄが係合溝２２ｄに係合して回転リング２２を矢印Ａ方向へ回転させるため、シャッタ開閉部材１８のラック部１８ｃが回転リング２２の歯部２２ｂに噛合する。さらにシャッタ開閉部材１８が凹部１９ｃ内へ入り込むと、ラック部１８ｃと歯部２２ｂの噛合によって回転リング２２が矢印Ａ方向へ大きく回転し、それに伴って両シャッタ板２１が互いに離れる方向へ回転して開口１９ａを開放するため、カートリッジ１１内に収納された光ディスク２０がこの開口１９ａから露出する。
【００２４】
このように２重スライド機構によってトレイ１０が引き込み位置まで搬送されると、図７に示すようにトレイ１０は本体装置３の内部に完全に没入した状態となり、トレイ１０上に載置されたカートリッジ１１は記録再生位置に保持される。詳細な機構説明は省略するが、この記録再生位置において、ピックアップシャーシ４によってターンテーブル５を上昇動作させることにより、カートリッジ１１内の光ディスク２０が開口１９ａとトレイ１０の切り欠き部１０ａを通って上昇したターンテーブル５に吸着される。そして、この状態でターンテーブル５によって光ディスク２０を回転駆動すると共に、光ピックアップ６を光ディスク２０の半径方向へ移送することにより、光ディスク２０に情報を記録および／または再生することができる。
【００２５】
また、再生等が完了したカートリッジ１１を本体装置３の外部へ排出する場合は、ローディングモータ１２が逆方向へ回転して上記と逆のトレイ１０の引き出し動作が行われ、このトレイ１０の引き出し動作に伴ってシャッタ開閉部材１８がカートリッジ１１の両シャッタ板２１を自動的に閉塞動作する。
【００２６】
なお、カートリッジ１１以外の小径ディスクや大径ディスクを使用する場合は、本体装置３の前方へ引き出されたトレイ１０の載置面１０ｂ，１０ｃに小径ディスクや大径ディスクを選択的に載置した後、前述した２重スライド機構によってトレイ１１の引き込み動作を行えば良い。この場合もシャッタ開閉部材１８はトレイガイド９とトレイ１０に対してカートリッジ１１の使用時と同様に動作するが、トレイ１０上にカートリッジ１１が載置されていないため、シャッタの開閉動作には関与しない。
【００２７】
以上説明したように、本実施例に係る車載用ディスク装置では、トレイ１０をトレイガイド９によって本体装置３に移動可能に支持するという２重スライド機構を採用したので、トレイ１０を安定的に支持しつつ装置全体の奥行き寸法を小型化することができる。また、このトレイガイド９のガイド孔９ａにシャッタ開閉部材１８の突起１８ａ，１８ｂをスライド可能に挿入すると共に、これら突起１８ａ，１８ｂをトップシャーシ２の側面に形成した規定孔２ａ内に移動可能に配置することにより、トップシャーシ２上のカートリッジ１１とシャッタ開閉部材１８との相対的な移動量を規定するようにしたので、シャッタ開閉部材１８の少ない移動量でカートリッジ１１のシャッタ板２１を確実に開閉動作することができ、奥行き寸法の小型化を図りつつシャッタの開閉機構の構造を簡略化することができる。
【００２８】
また、シャッタ開閉部材を例えば本体装置３に固定して設けた場合、このシャッタ開閉部材をカートリッジ１１の凹部１９ｃ内に入り込ませるためには、トレイガイド９のガイド孔９ａを前後方向に延長させてシャッタ開閉部材をトレイガイド９に対して相対的に長い区間で移動させる必要があり、トレイガイド９の強度低下が懸念されるが、本実施例のようにトレイガイド９にシャッタ開閉部材１８を前後方向に移動可能に設けることでガイド孔９ａの範囲を短くすることができ、トレイガイド９の強度低下を防ぐことが可能となる。
【００２９】
なお、上記実施例では、ボトムシャーシ１とトップシャーシ２によって本体装置３を構成し、このトップシャーシ２の一側面に規定孔２ａを形成した場合について説明したが、このような規定孔をトップシャーシ２の代わりにボトムシャーシ１あるいはトップシャーシ２やボトムシャーシ１に固定された固定部材等に形成することも可能であり、要は、本体装置３を構成する部材にカートリッジ１１とシャッタ開閉部材１８との相対的な移動量を規定する規定部が設けられていれば良い。
【図面の簡単な説明】
【００３０】
【図１】実施例に係る車載用ディスク装置のトレイ引き出し状態を示す平面図である。
【図２】該車載用ディスク装置のカートリッジ載置状態を示す斜視図である。
【図３】該車載用ディスク装置に備えられる２重スライド機構のトレイ引き出し状態を示す裏面図である。
【図４】該２重スライド機構のトレイ引き込み状態を示す裏面図である。
【図５】該車載用ディスク装置のトレイ引き出し状態を示す斜視図である。
【図６】該車載用ディスク装置のトレイ引き込み途中状態を示す斜視図である。
【図７】該車載用ディスク装置のトレイ引き込み完了状態を示す斜視図である。
【図８】該車載用ディスク装置に使用されるカートリッジの分解斜視図である。
【符号の説明】
【００３１】
１  ボトムシャーシ
２  トップシャーシ
２ａ  規定孔（規定部）
３  本体装置
９  トレイガイド
９ａ  ガイド孔
１０  トレイ
１０ａ  切り欠き部
１０ｂ，１０ｃ，１０ｄ  載置面
１１  カートリッジ
１２  ローディングモータ
１３  減速ギア列
１４  第１のラック
１５  伝達ギア列
１６  第２のラック
１７  第３のラック
１８  シャッタ開閉部材
１８ａ，１８ｂ  突起
１８ｃ  ラック部
１８ｄ，１８ｅ  係合突起
２０  光ディスク
２１  シャッタ板
２２  回転リング
２３  ロックレバー
【図１】
2006302469.tif 000003
【図２】
2006302469.tif 000004
【図３】
2006302469.tif 000005
【図４】
2006302469.tif 000006
【図５】
2006302469.tif 000007
【図６】
2006302469.tif 000008
【図７】
2006302469.tif 000009
【図８】
2006302469.tif 000010